(57)【要約】【課題】本発明は、ゴルフクラブ４をやじろべえとした重心線５とヘッド３のスイートスポット６を測定し、ゴルフクラブ４の重量調整を行い、やじろべえの重心線５上にヘッド３のスイートスポット６位置が、ゴルフクラブ４が停止時または回転時または停止時回転時共に一致するようにしたゴルフクラブを提供する。【解決手段】本発明は上記目的を達成するため、例えば添付の図１に示した測定装置において、ゴルフクラブ４をグリップ２上部位置でクランプし、やじろべえとなったゴルフクラブ４のクランプ部から鉛直に落とした垂線が、ヘッド３のスイートスポット６と一致しているかを測定する。一致しない場合は、そのずれ量とそれ見合う荷重を算出し、カウンタバランス等を指定位置に添付し再度そのずれ量を確認する等行い、やじろべえの重心線５上にヘッド３のスイートスポット６位置が、ゴルフクラブ４が停止時または回転時または停止時回転時共に一致するようにしたゴルフクラブである。【選択図】図５
2013090888.tif 000002
【特許請求の範囲】
【請求項１】
金属またはカーボン樹脂で形成されている中空のシャフト１と、ゴム等の緩衝材で形成されているグリップ２と、金属またはカーボン樹脂で形成されているヘッド３とを有するゴルフクラブ４のグリップ２上部位置でクランプし、その部位を支点として鉛直方向に吊るした時にできるやじろべえの重心線５に、ヘッド３上に存在するスイートスポット６の位置が、一致することを特徴とするゴルフクラブ。
【請求項２】
ゴルフクラブ４のグリップ２上部位置でクランプし、その部位を支点として毎秒０〜２０回転の間回転させた場合でも鉛直方向に吊るした時にできるやじろべえの重心線５に、ヘッド３上に存在するスイートスポット６の位置が、一致することを特徴とするゴルフクラブ。
【発明の詳細な説明】
【技術分野】
【０００１】  本発明は、シャフト１と、グリップ２と、ヘッド３とで構成されているゴルフクラブ４を、グリップ２上部で鉛直に吊るした時にできるやじろべえの重心線５上に、ヘッド３に存在するスイートスポット６が、ゴルフクラブ４が停止時または回転時または停止時回転時共に一致する構造のゴルフクラブに関する。
【背景技術】
【０００２】  シャフト１と、グリップ２と、ヘッド３とを有するゴルフクラブ４を振ることで得られる遠心力によって、ヘッド３がシャフト１と腕とで作られる円の円周を高速で移動し、静止するボールに正対してヘッド３が当たった時、ヘッド３の持つ運動エネルギーを静止するボールが受け取ることによってボールが飛ぶ。【０００３】  しかしながらヘッド３がボールに対して正対する事は、稀である。これは、人がゴルフクラブ４に与える遠心力と、その力を支える力が常に一定でない事ことによりヘッド３の位置が一定とならない事、シャフト１がその柔軟性から湾曲する事でヘッド３の位置およびボールに対する迎角が一定とならない事、シャフト１のねじれによってヘッド３が回転しボールに対してヘッド３の向きが一定とならない事などからである。【０００４】  これらを解決するために、ゴルフクラブ４のシャフト１を固くする事で振り下ろした時に発生するシャフト１の湾曲量やねじれ量を小さくし、ヘッド３がボールに当たる時の位置と迎角とヘッド３の向きの再現がとりやすくされていたり、ヘッド３を重くし重心位置をヘッド３に集中する事で同様の効果を得る工夫がなされている。【０００５】  しかしゴルフクラブ４でのこれら対処はどれも経験的であり、真にボールに正対する方法ではない。本来ヘッド３には、運動エネルギーを一番効率よくボールに移動する位置（以下スイートスポット６と言う）が存在する。しかしゴルフクラブ４の構造上スイートスポット６の位置は、シャフト１の中心線上にはなく数十ミリメートルオフセットしている。このオフセットがシャフト１のねじれを生み、ヘッド３がボールに対して向きが一定とならない原因であり、ボールがスイートスポット６に当たらない要因である。【０００６】  スイートスポット６とシャフト１の中心線が一致するような構造を示した技術は以下の通り存在する。
【先行技術文献】
【０００７】
【特許文献１】特許  第２６６５５０９号
【発明の概要】
【発明が解決しようとする課題】
【０００８】  しかしながら、上記特許はシャフト１の中心線が、ヘッド３の重心位置とフェースのスイートスポット６位置を結ぶ線の中心位置と合う事を表しているのであって、やじろべえの重心線５を示すものではない。【０００９】  本発明は、ゴルフクラブ４をやじろべえとした重心線５とヘッド３のスイートスポット６を測定し、ゴルフクラブ４の重量調整を行い、やじろべえの重心線５上にヘッド３のスイートスポット６位置が、ゴルフクラブ４が停止時または回転時または停止時回転時共に一致するようにしたゴルフクラブを提供する。
【課題を解決するための手段】
【００１０】  本発明は上記目的を達成するため、例えば添付の図１に示した測定装置において、ゴルフクラブ４をグリップ２上部位置でクランプし、やじろべえとなったゴルフクラブ４のクランプ部から鉛直に落とした垂線が、ヘッド３のスイートスポット６と一致しているかを測定する。一致しない場合は、そのずれ量とそれ見合う荷重を算出し、カウンタバランス等を指定位置に添付し再度そのずれ量を確認する等行い、やじろべえの重心線５上にヘッド３のスイートスポット６位置が、ゴルフクラブ４が停止時または回転時または停止時回転時共に一致するようにしたゴルフクラブである。
【発明の効果】
【００１１】  本来ゴルフクラブ４のねじれと言う観点から図２のようなシャフト１の中心軸とヘッド３のスイートスポット６は、同一線上にあるのが望ましい。それは図３のように実際ゴルフクラブ４を持つ時のように傾けたとしてもシャフト１の中心軸にヘッド３のスイートスポット６が常に存在する。この場合、プレーヤーがゴルフクラブ４を振る動作を行っても全く変わりはない。つまりプレーヤーから見たゴルフクラブ４は、ヘッド３の重みのずれ等から発生するねじれ力を感じる事なく１本の棒のように感じる事ができる。ただ実際は、図４のようにヘッド３をシャフト１の直下ではなくオフセットして配置しているため、ヘッド３の重みによってスイートスポット６はシャフト１の中心軸上に存在しなくなる。この場合、ゴルフクラブ４を水平に持ったときヘッド３の重みでねじれ力が働き、グリップ２を持つ手にトルクが発生する。【００１２】  このような図４のゴルフクラブ４では、常にねじれ力が発生している事になるが、図５のように本来持つべきグリップ２付近で支持し重力方向にたらした時、シャフト１の中心軸が真下を向くのではなく、シャフト１部分とヘッド３部分の重さと長さの積が一致した傾きで停止する。これはやじろべえの原理で説明ができる。この時やじろべえの重心位置がヘッド３のスイートスポット６とが一致している場合、図２の時と同様ねじれ力を感じる事はない。図５において、プレーヤーは、ゴルフクラブ４を左右に振ってもねじれ力をほとんど感じず図２の物と同様の感触を得る事ができる。【００１３】  図６はやじろべえの重心を通る軸がスイートスポット６より内側にある場合である。この場合プレーヤーは、ゴルフクラブ４を左右に振った時ヘッド３先端に重みを感じグリップ２でそのねじれ力を感じる。【００１４】  本ゴルフクラブ４では、そのやじろべえの重心線５とヘッド３のスイートスポット６の位置を、ゴルフクラブ４が停止時または回転時または停止時回転時共に一致させ、常にねじれ力が最小となるよう調整されたゴルフクラブである。
【図面の簡単な説明】
【００１５】
【図１】本発明を実施するための測定装置である。
【図２】理想（仮想）のゴルフクラブ４図である。
【図３】図２を傾けた図である。
【図４】実際のゴルフクラブ４図である。
【図５】やじろべえ理論によって釣り合った図である。
【図６】スイートスポット６とやじろべえ重心線５が不一致時のねじれ量の概念図である。
【図７】ヘッドウエイト添付・ヘッド底面穴開け図である。
【図８】ヘッド部ウエイト調整ねじ穴図である。
【発明を実施するための形態】
【００１６】  以下、本発明の実施例を図面にしたがって説明する。
【００１７】  図１は本技術のゴルフクラブ４のスイートスポット位置６とやじろべえ重心線５の検出装置である。オペレータは同装置の扉を開けあらかじめスイートスポット位置６とシャフト１の長さ、重さ等を測定済みの被測定物のゴルフクラブ４を保持部に固定する。この時保持部に固定したゴルフクラブ４が自由に動くように自在継手を兼ねていても良い。
【００１８】  固定後扉を閉めた後、ストッパを動作させゴルフクラブ４の先端に触れさせ左右の触れ（振動）を抑える。
【００１９】  スイートスポット６位置を示すレーザーポインタを点灯しあらかじめ調査済みのスイートスポット６とレーザーポインタが一致するかを確認する。不一致の場合、ゴルフクラブ４をモータによって極低速で１回転させ、非接触式変位センサによりシャフト１の振れ幅を計測するとともに、カメラによってレーザーポインタとスイートスポット６の距離を計測する。
【００２０】  扉を開け、上記２つの結果から算出しカウンタウエイト量相当をゴルフクラブ４に添付し、再度扉を閉め再度測定を実行する。
【００２１】  また、カウンタウエイトを添付する事に加えて、図７のようにヘッド３底面ネック部に軸方向に３〜１０ｍｍ程度の穴をあけヘッド３の材質より比重の重い材料を適量挿入し、その後密封してバランスをとってもよい。
【００２２】  さらに図８のようにヘッド３のシャフト近傍側面１０や、その反対側トウ部１１に２〜５ｍｍのねじ穴をあけ、それに同径のねじをねじ込みそのねじの位置を前後する事でバランスをとってもよい。
【００２３】  バランスが取れた後レーザーポインタとスイートスポット６の位置が一致した事を確認し、実際のスイングに相当する回転でモータによりゴルフクラブ４を回転する。ゴルフクラブ４の回転位置（角度）を読み取るエンコーダに同期してストロボライトとレーザーポインタを常に同じヘッド３位置で点灯させ、ゴルフクラブ４が回転中でも同じ結果が得られるか確認する。
【００２４】  このようにしてヘッド３のスイートスポット６とやじろべえの重心線５が、ゴルフクラブ４が停止時または回転時または停止時回転時共に一致したゴルフクラブを提供する。
【符号の説明】１        シャフト
２        グリップ
３        ヘッド
４        ゴルフクラブ
５        重心線
６        スイートスポット
７        重心線とスイートスポット間の距離
８        カウンタウエイト
９        ヘッド底面の穴図
１０      ヘッドのシャフト近傍側面
１１      ヘッドトウ部
【図１】
2013090888.tif 000003
【図２】
2013090888.tif 000004
【図３】
2013090888.tif 000005
【図４】
2013090888.tif 000006
【図５】
2013090888.tif 000007
【図６】
2013090888.tif 000008
【図７】
2013090888.tif 000009
【図８】
2013090888.tif 000010